(57)【特許請求の範囲】
【請求項１】
筺体内に設けられた無停電電源装置であって、
交流入力端子に供給される交流電力を直流電力に変換して出力するコンバータと、
前記コンバータが出力する直流電力または電力貯蔵装置が出力する直流電力を一定周波数で一定電圧の第１の交流電力に変換し、第１のスイッチを経由して、出力端子へ出力するインバータと、
バイパス入力端子に供給される第２の交流電力の前記出力端子への出力を制御する第２のスイッチと、
前記出力端子に出力される負荷電流値を検知する変流器と、
前記インバータが出力する前記第１の交流電力により駆動され、前記筺体内を冷却する複数の冷却ファンと、
前記複数の冷却ファンの故障台数と規定値との比較結果に基づき、前記複数の冷却ファンの動作状況を判定するファン故障検知回路と、
前記ファン故障検知回路の判定結果に基づき、前記第１のスイッチおよび前記第２のスイッチの導通状態を制御する電源制御回路と、
を備え、
前記ファン故障検知回路は、前記負荷電流値に基づき、前記規定値を設定する、無停電電源装置。
【請求項２】
筺体内に設けられた無停電電源装置であって、
交流入力端子に供給される交流電力を直流電力に変換して出力するコンバータと、
前記コンバータが出力する直流電力または電力貯蔵装置が出力する直流電力を一定周波数で一定電圧の第１の交流電力に変換し、第１のスイッチを経由して、出力端子へ出力するインバータと、
バイパス入力端子に供給される第２の交流電源の前記出力端子への出力を制御する第２のスイッチと、
前記出力端子に出力される負荷電流値を検知する変流器と、
前記インバータが出力する前記第１の交流電力により駆動され、前記筺体内を冷却する複数の冷却ファンと、
前記複数の冷却ファンの故障台数と規定値との比較結果に基づき、前記複数の冷却ファンの動作状況を判定するとともに、前記複数の冷却ファンに故障が発生していない場合、前記複数の冷却ファンの台数より少ない運転台数を設定するファン運転台数制御回路と、
前記ファン運転台数制御回路の判定結果に基づき、前記第１のスイッチおよび前記第２のスイッチの導通状態を制御する電源制御回路と、
を備え、
前記ファン運転台数制御回路は、前記負荷電流値に基づき、前記規定値を設定する、無停電電源装置。
【請求項３】
前記電源制御回路は、
前記複数の冷却ファンに故障が発生していない場合、前記第１のスイッチをオンに設定するとともに、前記第２のスイッチをオフに設定し、
前記複数の冷却ファンの故障台数が１以上、かつ前記規定値未満である場合、前記第１のスイッチをオンに設定するとともに、前記第２のスイッチをオフに設定し、
前記複数の冷却ファンの故障台数が前記規定値より大きい場合、前記第１のスイッチをオフに設定するとともに、前記第２のスイッチをオンに設定する、請求項１または請求項２記載の無停電電源装置。
【請求項４】
前記電源制御回路は、前記複数の冷却ファンの故障台数が１以上、かつ前記規定値未満である場合、さらに、警告手段を活性化する、請求項３記載の無停電電源装置。
【発明の詳細な説明】
【技術分野】
【０００１】
本発明は無停電電源装置に関し、特に、冷却ファンを備えた無停電電源装置に関する。
【背景技術】
【０００２】
従来より、コンピュータシステム等の重要負荷に交流電力を安定的に供給する電源装置として、無停電電源装置が広く用いられている。無停電電源装置は、一般的に、商用交流電力を直流電力に変換するコンバータと、コンバータで生成された直流電力またはバッテリからの直流電力を交流電力に変換して負荷に供給するインバータと、インバータで生成された交流電力により駆動され、無停電電源装置の本体部が収容された筺体内を冷却する冷却ファンと、を備える。（たとえば、非特許文献１等参照）。
【０００３】
無停電電源装置は、複数の冷却ファンを用いて筺体内部に格納されている各種電気部品を冷却している。冷却ファンの故障台数があらかじめ定められた数に達すると、無停電電源装置は、重故障の発生として検知し、負荷への交流電力の供給元をインバータからバイパス給電に切り替える。
【先行技術文献】
【非特許文献】
【０００４】
【非特許文献１】Mitsubishi Electric Power Products,Inc.のインターネットのホームページ記載の9900B UPSシリーズ。
【非特許文献２】emersonnetworkpower.comのインターネットのホームページ記載のEMERSON Liebert APMシリーズ。
【発明の概要】
【発明が解決しようとする課題】
【０００５】
故障していない残りの冷却ファンで、盤内温度（無停電電源装置の筺体内部の温度）を設定範囲内に保つことが可能な場合、たとえば、無停電電源装置が低負荷時の場合に、冷却ファンの故障台数に基づき、一律に負荷への交流電力の供給をバイパス給電に切り替えると、無停電電源装置の機能を十分に発揮出来ない、という問題がある。
【０００６】
この発明は、上述の課題を解決するためになされたもので、その目的は、負荷への供給電力を考慮した信頼性の高い無停電電源装置を提供することである。
【課題を解決するための手段】
【０００７】
この発明に係る無停電電源装置は、交流入力端子に供給される交流電力を直流電力に変換して出力するコンバータと、コンバータが出力する直流電力または電力貯蔵装置が出力する直流電力を一定周波数で一定電圧の第１の交流電力に変換し、第１のスイッチを経由して、出力端子へ出力するインバータと、バイパス入力端子に供給される第２の交流電力の出力端子への出力を制御する第２のスイッチと、出力端子に出力される負荷電流値を検知する変流器と、インバータが出力する第１の交流電力により駆動され、筺体内を冷却する複数の冷却ファンと、複数の冷却ファンの故障台数と規定値との比較結果に基づき、複数の冷却ファンの動作状況を判定するファン故障検知回路と、ファン故障検知回路の判定結果に基づき、第１のスイッチおよび第２のスイッチの導通状態を制御する電源制御回路と、を備え、ファン故障検知回路は、負荷電流値に基づき、規定値を設定する。
【０００８】
この発明に係る無停電電源装置は、交流入力端子に供給される交流電力を直流電力に変換して出力するコンバータと、コンバータが出力する直流電力または電力貯蔵装置が出力する直流電力を一定周波数で一定電圧の第１の交流電力に変換し、第１のスイッチを経由して、出力端子へ出力するインバータと、バイパス入力端子に供給される第２の交流電源の出力端子への出力を制御する第２のスイッチと、出力端子に出力される負荷電流値を検知する変流器と、インバータが出力する第１の交流電力により駆動され、筺体内を冷却する複数の冷却ファンと、複数の冷却ファンの故障台数と規定値との比較結果に基づき、複数の冷却ファンの動作状況を判定するとともに、複数の冷却ファンに故障が発生していない場合、複数の冷却ファンの台数より少ない運転台数を設定するファン運転台数制御回路と、ファン運転台数制御回路の判定結果に基づき、第１のスイッチおよび第２のスイッチの導通状態を制御する電源制御回路と、を備え、ファン運転台数制御回路は、負荷電流値に基づき、規定値を設定する。
【０００９】
好ましくは、電源制御回路は、複数の冷却ファンに故障が発生していない場合、第１のスイッチをオンに設定するとともに、第２のスイッチをオフに設定し、複数の冷却ファンの故障台数が１以上、かつ規定値未満である場合、第１のスイッチをオンに設定するとともに、第２のスイッチをオフに設定し、複数の冷却ファンの故障台数が規定値より大きい場合、第１のスイッチをオフに設定するとともに、第２のスイッチをオンに設定する。
【００１０】
好ましくは、電源制御回路は、複数の冷却ファンの故障台数が１以上、かつ規定値未満である場合、さらに、警告手段を活性化する。
【発明の効果】
【００１１】
本発明によれば、負荷への供給電力を考慮した信頼性の高い無停電電源装置を実現することが可能となる。
【図面の簡単な説明】
【００１２】
【図１】本発明の実施の形態１に係る無停電電源装置の構成を示す回路ブロック図である。
【図２】図１の無停電電源装置が備えるファン故障検知回路の動作を説明するフロー図である。
【図３】本発明の実施の形態２に係る無停電電源装置の構成を示す回路ブロック図である。
【図４】図３の無停電電源装置が備えるファン運転台数制御回路の動作を説明するフロー図である。
【発明を実施するための形態】
【００１３】
以下、本発明の実施の形態について図面を用いて説明する。実施の形態の説明において、個数、量などに言及する場合、特に記載ある場合を除き、必ずしもその個数、量などに限定されない。実施の形態の図面において、同一の参照符号や参照番号は、同一部分または相当部分を表わすものとする。また、実施の形態の説明において、同一の参照符号等を付した部分等に対しては、重複説明は繰り返さない場合がある。
【００１４】
＜実施の形態１＞
図１は、本発明の実施の形態１に係る無停電電源装置１００の構成を示す回路ブロック図である。
【００１５】
無停電電源装置１００は、本体部を収容した筺体（模式的に、無停電電源装置１００を示す一点破線と同一とし、以下、筺体１００、と記載する場合もある。）、筺体１００に設けられたバイパス入力端子Ｔ１、交流入力端子Ｔ２、バッテリ端子Ｔ３、および出力端子Ｔ４を備える。バイパス入力端子Ｔ１および交流入力Ｔ２の各々は、交流電源から交流電力を受ける。交流電源は、商用交流電源、自家用発電機などである。交流電力は、三相または単相である。バッテリ端子Ｔ３は、バッテリ３０の正極３０ａに接続されている。バッテリ３０は、無停電電源装置１００の筺体とは別の筺体１４内に収容されている。出力端子Ｔ４には、負荷２３が接続される。また、筺体１００の外壁には、コンバータ運転／停止指令部１ａおよびインバータ運転／停止指令部１ｂが設けられる。
【００１６】
筐体１００内には、主制御回路１、スイッチ２，１０，１５，１８、ヒューズ３，１６、リアクトル４，８、コンバータ５、コンデンサ６，９、インバータ７、変流器２１、およびＳＴＳ（Static transfer Switch)１２が設けられている。スイッチ２、ヒューズ３、リアクトル４、コンバータ５、インバータ７、リアクトル８、およびスイッチ１０は、この順に、交流入力端子Ｔ２と出力端子Ｔ４との間に直列接続される。変流器２１は、スイッチ１０から出力端子Ｔ４に流出する負荷電流の値を測定する。
【００１７】
ヒューズ１６およびスイッチ１５は、この順に、コンバータ５の出力端子とバッテリ端子Ｔ３との間に直列接続される。コンデンサ６は、コンバータ５の出力と基準電圧のライン（図示せず）との間に接続される。コンデンサ９は、リアクトル８の出力端子と基準電圧のラインとの間に接続される。スイッチ１３およびＳＴＳ１２は、バイパス入力端子Ｔ１と出力端子Ｔ４との間に並列接続される。
【００１８】
コンバータ運転／停止指令部１ａおよびインバータ運転／停止指令部１ｂの各々は、無停電電源装置１００の使用者によって操作される。コンバータ５を運転させる場合は、コンバータ運転／停止指令部１ａのスイッチ（図示せず）がオン（導通状態に設定）され、信号φ１ａが「Ｈ」レベルにされる。コンバータ５の運転を停止させる場合は、コンバータ運転／停止指令部１ａのスイッチ（図示せず）がオフ（非導通状態に設定）され、信号φ１ａが「Ｌ」レベルにされる。
【００１９】
インバータ７を運転させる場合は、インバータ運転／停止指令部１ｂのスイッチ（図示せず）がオンされ、信号φ１ｂが「Ｈ」レベルにされる。インバータ７の運転を停止させる場合は、インバータ運転／停止指令部１ｂのスイッチ（図示せず）がオフされ、信号φ１ｂが「Ｌ」レベルにされる。主制御回路１は、信号φ１ａおよび信号φ１ｂに従って、無停電電源装置１００全体を制御する。
【００２０】
スイッチ２は、信号φ１ａが「Ｈ」レベルの場合にオンされ、信号φ１ａが「Ｌ」レベルの場合にオフされる。ヒューズ３は、交流入力端子Ｔ２からコンバータ５に過大な電流が流れた場合にブローされ、コンバータ５などを保護する。リアクトル４は、コンバータ５で発生したキャリア周波数の信号を遮断し、キャリア周波数の信号が交流電源側に悪影響を及ぼすことを防止する。
【００２１】
コンバータ５は、信号φ１ａが「Ｈ」レベルの場合に主制御回路１によって制御され、交流電源から交流入力端子Ｔ２を介して供給された交流電力を直流電力に変換する。信号φ１ａが「Ｌ」レベルの場合、コンバータ５の運転は停止される。
【００２２】
ヒューズ１６は、コンバータ５およびインバータ７間のノードとバッテリ３０との間に過大な電流が流れた場合にブローされ、コンバータ５、インバータ７、バッテリ３０などを保護する。スイッチ１５は、主制御回路１によって制御され、バッテリ３０の充電および放電を行なう場合にオンされ、バッテリ３０の交換時などにオフされる。コンデンサ６は、コンバータ５で生成された直流電圧を平滑化する。
【００２３】
インバータ７は、信号φ１ｂが「Ｈ」レベルの場合に主制御回路１によって制御され、コンバータ５によって生成された直流電力、またはバッテリ３０から供給された直流電力を交流電力に変換する。インバータ７で生成される交流電力の周波数および位相は、交流電源から供給される交流電力の周波数および位相と同一である。また、インバータ７で生成される交流電力の周波数および電圧は、一定である。信号φ１ｂが「Ｌ」レベルの場合、インバータ７の運転は停止される。リアクトル８およびコンデンサ９は、出力フィルタを構成し、インバータ７で発生したキャリア周波数の信号を遮断し、キャリア周波数の信号が負荷２３に悪影響を及ぼすことを防止する。
【００２４】
スイッチ１０は、主制御回路１によって制御され、インバータ７によって生成された交流電力を負荷２３に供給するインバータ給電モード時にオンされる。また、スイッチ１３は、主制御回路１によって制御され、交流電源からバイパス入力端子Ｔ１を介して供給される交流電力を負荷２３に供給するバイパス給電モード時にオンされる。ＳＴＳ１２は、インバータ給電モード時にインバータ７が故障した場合にオンし、交流電源からバイパス入力端子Ｔ１を介して供給される交流電力を負荷２３へ瞬時に与える。次いで、スイッチ１３がオンされ、スイッチ１０がオフおよびＳＴＳがオフされ、バイパス給電モードで負荷２３に交流電力が供給される。変流器２１は、スイッチ１０と出力端子Ｔ４との間に設けられ、出力端子Ｔ４を経由して負荷２３へ供給される負荷電流を検知し、後述のファン故障検知回路２５へ、負荷電流値信号Ｓ２１を出力する。
【００２５】
この無停電電源装置１００の起動時および停電時の動作について説明する。
無停電電源装置１００の起動時は、まずスイッチ２，１５がオンされ、コンバータ５が運転され、コンデンサ６およびバッテリ３０の充電が行なわれる。コンデンサ６およびバッテリ３０の充電が終了すると、インバータ７が運転される。インバータ７の出力電圧が安定したら、スイッチ１０がオンされ、インバータ給電モードで負荷２３に交流電力が供給される。交流電源から交流電力が供給されている正常時は、その交流電力がコンバータ５によって直流電力に変換される。コンバータ５で生成された直流電力は、バッテリ３０およびインバータ７に供給される。インバータ７は、コンバータ５から供給される直流電力を一定周波数で一定電圧の直流電力に変換して負荷２３に供給する。
【００２６】
交流電源からの交流電力の供給が停止された停電時は、スイッチ２がオフされるとともにコンバータ５の運転が停止され、バッテリ３０の直流電力がインバータ７に供給される。インバータ７は、バッテリ３０から供給される直流電力を一定周波数で一定電圧の交流電力に変換して負荷２３に供給する。このように、停電が発生した場合でも、バッテリ３０に直流電力が蓄えられている限り、負荷２３の運転を継続することができる。停電が短時間で回復した場合は、再度、スイッチ２をオンし、コンバータ５を運転してインバータ給電モードに戻る。
【００２７】
筺体１００内には、さらに、複数のスイッチ１８、複数のサーマルリレー２４、および複数の冷却ファン１７と、ファン故障検知回路２５と、電源制御回路２０と、が設けられている。
【００２８】
各スイッチ１８の一端は、リアクトル８の出力端子と接続され、各スイッチ１８の他端は、それぞれ、対応するサーマルリレー２４の一端と接続される。各サーマルリレー２４の他端は、それぞれ、対応する冷却ファン１７と接続される。各冷却ファン１７には、直列接続されたスイッチ１８およびサーマルリレー２４を経由して、リアクトル８の出力端子に生成された交流電力が供給される。主制御回路１は、図示しない温度センサによる筺体温度の検知結果に基づきスイッチ１８のオン／オフ制御を行い、筺体１００内の温度を調整する。
【００２９】
冷却ファン１７は、ファンおよびファンを駆動する電動機を含むともに、電動機に故障が発生した場合、故障検知信号Ｓ１７をファン故障検知回路２５へ出力する。ファン故障検知回路２５は、各冷却ファン１７が出力する故障検知信号Ｓ１７、および変流器２１が出力する負荷電流値信号Ｓ２１に基づき、複数の冷却ファン１７の動作状況を「正常」、「警報」、および「重故障」のいずれかに該当するかを判定し、電源制御回路２０へ出力する。電源制御回路２０は、ファン検知回路２５の判定結果に基づきスイッチ制御信号Ｓ２０を生成してスイッチ１０、およびスイッチ１３のオン／オフ制御を行うとともに、図示しない警報ブザーの制御を行う。ここで、「重故障」とは、あらかじめ定められた台数の冷却ファン１７が故障した状態を、「正常」とは、複数の冷却ファン１７のいずれにも故障が発生していない状態を意味する。
【００３０】
図２は、図１の無停電電源装置１００が備えるファン故障検知回路２５の動作を説明するフロー図である。
【００３１】
ファン故障検知回路２５は、上述の通り、複数ある冷却ファン１７がそれぞれ出力する故障検知信号Ｓ１７と、変流器２１が出力する負荷電流値信号Ｓ２１に基づき、冷却ファン１７の動作状況を、「正常」、「警報」、および「重故障」のいずれかに該当するかを判定し、無停電電源装置１００の給電モードと警報ブザーの動作を設定する。
【００３２】
筺体１００の内部温度は、主に、発熱量が大きいインバータ７の出力電力、即ち、負荷２３への負荷電流値に依存する。負荷電流値が定格値に対して十分小さい場合、筺体１００の内部を許容温度範囲に保つために必要な冷却ファン１７の稼働台数は、負荷電流値が最大定格値である場合と比較し、少なくても良い。換言すれば、複数設けられている冷却ファン１７に対し、「重故障」と判断すべき冷却ファン１７の故障台数（以下、規定値、とも記載する）を、負荷電流値が減少するに従い、より大きく設定し得る。
【００３３】
ファン故障検知回路２５は、変流器２１が出力する負荷電流値信号Ｓ２１に基づき、規定値を算出する。この規定値は、負荷電流値信号Ｓ２１の値（負荷電流値）が最大定格値のとき、最小値に設定され、負荷電流値が減少するに従い、より大きく設定される。複数台ある冷却ファン１７は、各々、電動機に故障が発生しているか否かを、故障検知信号Ｓ１７でファン故障検知回路２５へ通知する。筺体１００に設置されている冷却ファン１７のいずれも正常である場合（ファン正常通知）、ファン故障検知回路２５は、冷却ファン１７の冷却機能が「正常」状態にあると判定する。無停電電源装置１００は、その判定結果に基づき、インバータ給電モード（スイッチ１０はオン、スイッチ１３はオフ）を維持する。
【００３４】
筺体１００に設置されている冷却ファン１７に故障が発生している場合、ファン故障検知回路２５は、冷却ファン１７の故障台数と規定値を比較する。故障台数が規定値以下である場合（「故障台数＞規定値」がＮＯ）、ファン故障検知回路２５は、冷却ファン１７の冷却機能が「警報」状態にあると判定する。無停電電源装置１００は、その判定結果に基づき、インバータ給電モードを維持しつつ、使用者に注意を促すための警報を鳴らす。なお、警報は一例であり、警告ランプの点灯や文字表示等、警告手段の活性化であれば良い。故障台数が規定値より大きい場合（「故障台数＞規定値」がＹＥＳ）、ファン故障検知回路２５は、冷却ファン１７の冷却機能が「重故障」状態にあると判定する。無停電電源装置１００は、その判定結果に基づき、バイパス給電モード（スイッチ１０はオフ、スイッチ１３はオン）を選択する。
【００３５】
無停電電源装置１００の効果を説明する。
従来、重故障と判定される冷却ファンの故障台数は、無停電電源装置が最大定格負荷で運転しているという条件のもとに、設定されているため、無停電電源装置が軽負荷で運転している場合、無停電電源装置の筺体内の温度が許容温度範囲の最大値に上昇する前に重故障判定されていた。重故障判定されると、無停電電源装置は、インバータ給電モードをバイパスモードに変更し、負荷への交流電力の供給源を、インバータ７からバイパス入力端子Ｔ１と接続される交流電源へ切り替える。この給電モードへの切り替えは、無停電電源装置の破壊防止と負荷への無停電電源供給を実現するものであるが、瞬停保護に対する無停電電源装置の機能を十分に発揮することが困難であった。
【００３６】
それに対し、無停電電源装置１００によれば、複数設けられている冷却ファン１７に対し、「重故障」と判断すべき冷却ファン１７の故障台数（規定値）は、負荷電流値が減少するに従い、より大きく設定される。重故障判定の判断基準となる冷却ファン１７の故障台数（規定値）を、負荷電流値に応じて最適化することで、本来不要な重故障判定の発生回数が低減され、無停電電源装置１００の信頼性向上および機能発揮を実現することが可能となる。
【００３７】
＜実施の形態２＞
図３は、本発明の実施の形態２に係る無停電電源装置２００の構成を示す回路ブロック図である。
【００３８】
図３において、図１と同一の符号が付されたものは、同一の構成または機能を備え、それらの重複説明は省略される。図３の無停電電源装置２００は、図１の無停電電源装置１００において、ファン故障検知回路２５をファン運転台数制御回路２６に置換するとともに、ファン運転台数制御回路２６は、稼働すべき冷却ファンを選択する冷却ファン選択信号Ｓ２６に基づき、スイッチ１８のオン／オフ制御を行う。
【００３９】
図４は、図３の無停電電源装置２００が備えるファン運転台数制御回路２６の動作を説明するフロー図である。
【００４０】
ファン運転台数制御回路２６は、複数ある冷却ファン１７がそれぞれ出力する故障検知信号Ｓ１７と、変流器２１が出力する負荷電流値信号Ｓ２１に基づき、冷却ファン１７の動作状況を、「正常」、「警報」、および「重故障」のいずれかに該当するかを判定し、無停電電源装置１００の給電モードと警報ブザーを設定する。
【００４１】
ファン運転台数制御回路２６は、変流器２１が出力する負荷電流値信号Ｓ２１に基づき、複数設けられている冷却ファン１７に対し、「重故障」と判断すべき冷却ファン１７の故障台数（規定値）を算出する。この規定値は、図１のファン故障検知回路２５と同様に、負荷電流値信号Ｓ２１の値（負荷電流値）が最大定格値のとき、最小値に設定され、負荷電流値が減少するに従い、より大きく設定される。複数台ある冷却ファン１７は、各々、電動機に故障が発生しているか否かを、故障検知信号Ｓ１７でファン故障検知回路２５へ通知する。
【００４２】
筺体２００に設置されている冷却ファン１７のいずれも正常である場合（ファン正常通知）、ファン運転台数制御回路２６は、冷却ファン１７の冷却機能が「正常」状態にあると判定する。無停電電源装置２００は、その判定結果に基づき、インバータ給電モード（スイッチ１０はオン、スイッチ１３はオフ）を維持する。さらに、ファン運転台数制御回路２６は、規定値より小さい値の範囲で、運転を停止する冷却ファン１７の台数を算出する。例えば、冷却ファン１７が１０台あり、規定値が５である場合、ファン運転台数制御回路２６は、冷却ファン選択信号Ｓ２６に基づき、４台の冷却ファン１７の運転を停止し、６台の冷却ファン１７を運転させる。
【００４３】
筺体２００に設置されている冷却ファン１７に故障が発生している場合、ファン運転台数制御回路２６は、冷却ファン１７の故障台数と規定値を比較する。故障台数が規定値以下である場合（「故障台数＞規定値」がＮＯ）、ファン運転台数制御回路２６は、冷却ファン１７の冷却機能が「警報」状態にあると判定する。無停電電源装置２００は、その判定結果に基づき、インバータ給電モードを維持しつつ、使用者に注意を促すために警告手段を活性化する。故障台数が規定値より大きい場合（「故障台数＞規定値」がＹＥＳ）、ファン運転台数制御回路２６は、冷却ファン１７の冷却機能が「重故障」状態にあると判定する。無停電電源装置２００は、その判定結果に基づき、バイパス給電モード（スイッチ１０はオフ、スイッチ１３はオン）を選択する。
【００４４】
無停電電源装置２００の効果を説明する。
無停電電源装置２００によれば、複数設けられている冷却ファン１７のすべてが正常に動作可能な場合に、「重故障」と判断すべき冷却ファン１７の故障台数（規定値）より少ない台数の冷却ファン１７の運転を停止させることで、冷却ファン１７の長寿命化が実現される。無停電電源装置を構成する部品の中でも、冷却ファンは比較的寿命の短い部品であるため、小型の冷却ファンを多数搭載して冗長性を持たせた無停電電源装置において、冷却ファンの一部を停止させる構成は、特に有効である。
【００４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４６】
１  主制御回路、１ａ  コンバータ運転／停止指令部、１ｂ  インバータ運転／停止指令部、２，１０，１３，１５，１８  スイッチ、３，１６  ヒューズ、４，８  リアクトル、５  コンバータ、６，９  コンデンサ、７  インバータ、１４  筺体、１７  冷却ファン、２０  電源制御回路、２１  変流器、２３  負荷、２４  サーマルリレー、２５  ファン故障検知回路、２６  ファン運転台数制御回路、３０  バッテリ、３０ａ  正極、１００，２００  無停電電源装置（筺体）、Ｓ１７  故障検知信号、Ｓ２０  スイッチ制御信号、Ｓ２１  負荷電流値信号、Ｓ２６  冷却ファン選択信号、Ｔ１  バイパス入力端子、Ｔ２  交流入力端子、Ｔ３  バッテリ端子、Ｔ４  出力端子、φ１ａ，φ１ｂ  信号。
【図１】
0006054895.tif 000002
【図２】
0006054895.tif 000003
【図３】
0006054895.tif 000004
【図４】
0006054895.tif 000005